(57)【要約】【課題】  回路基板の電極パターンに鍔部の電極を導電性ペーストを用いて電気的に接合し、高い接合強度を備えるコモンモードフィルタの提供。【解決手段】  コモンモードフィルタ１の鍔部１１、１１の実装面１１Ｃには、電極４０が設けられておらずドラムコア１０の鍔部１１、１１の素地が露出する露出領域１１Ｆが設けられている。露出領域１１Ｆは、溝１１ｃの開口縁部に沿って溝１１ｃの延出方向における一端から他端にわたって設けられており、更に実装面１１Ｃの巻芯部１２側の端縁部においては、コモンモードフィルタ左右方向における鍔部１１、１１の両端へ至るまで設けられている。実装面１１Ｃ上の露出領域１１Ｆと電極４０の実装部４１とは、導電性ペーストを介在して回路基板の電極パターン上に接着される。【選択図】図２
2007059752.tif 000002
【特許請求の範囲】
【請求項１】
一対の鍔部と、該一対の鍔部を互いに連結する巻芯部とを備えるコアと、
該コアの該巻芯部に巻回される少なくとも２本の導線と、
該一対の鍔部にそれぞれ該導線の本数に対応した数だけ設けられた電極とを備えるコモンモードフィルタであって、
該鍔部は互いに対向する継線面と実装面とを有し、該継線面と該実装面とを結ぶ方向は該一対の鍔部を結ぶ方向と略垂直の位置関係をなし、各該実装面は回路基板上の電極パターンに対向配置可能であり、
該電極は、該継線面に配置され該導線の端部が固着される継線部と、該実装面に配置される実装部と、該継線部と該実装部とを連結する連結部とをそれぞれ有し、該実装面が該電極パターンに対向配置されているときに各該実装部は該電極パターンに電気的に接続可能であり、
該鍔部の該実装面上であって隣接する該実装部間には、該実装面より窪んだ溝が該一対の鍔部を結ぶ方向へ沿って形成され、
少なくとも該実装面の該巻芯部側の端縁部の一部は、該コアの素地が露出する露出領域をなしていることを特徴とするコモンモードフィルタ。
【請求項２】
該実装面において、該露出領域の面積をＲとし該電極の該実装部の面積をＳとしたときに、ＲとＳとは
１／２Ｓ≦Ｒ≦１Ｓ
の関係を有することを特徴とする請求項１記載のコモンモードフィルタ。
【請求項３】
該露出領域は、該溝の開口縁部に沿って設けられていることを特徴とする請求項１記載のコモンモードフィルタ。
【請求項４】
該電極の該実装部の面は、該電極と該電極パターンとを電気的に接続するための導電性ペーストが付けられたときに酸化しない金属材料によりめっきされていることを特徴とする請求項１記載のコモンモードフィルタ。
【請求項５】
該電極は端子金具からなり、該電極の該実装部が配置される該実装面の部分は、該実装部に相当する該端子金具の部分の厚さ分窪んだ凹部が形成されていることを特徴とする請求項１記載のコモンモードフィルタ。
【請求項６】
少なくとも反巻芯部側の該実装部の部分の幅と該電極の該連結部の幅とは同一であることを特徴とする請求項１記載のコモンモードフィルタ。
【発明の詳細な説明】
【技術分野】
【０００１】
本発明はコモンモードフィルタに関し、特に一対の鍔部に設けられた電極の一部が回路基板上の電極パターンに電気的に接続されるコモンモードフィルタに関する。
【背景技術】
【０００２】
従来よりコアに少なくとも２本の導線が巻回されて構成されるコモンモードフィルタが知られている。特開２０００−２０８３３１号公報（特許文献１）には、この構成のコモンモードフィルタが記載されている。コモンモードフィルタは、ドラムコアと２本の導線とを備える。ドラムコアは一対の鍔部と巻芯部とを備え、巻芯部は一対の鍔部を互いに連結する。２本の導線はドラムコアの巻芯部に交互に巻回される。
【０００３】
一対の鍔部は、回路基板の電極パターンに対向可能な実装面をそれぞれ有しており、実装面には、導線の本数に対応した数である２つの電極がそれぞれ設けられている。電極は、実装面の全面にわたって設けられており、一方の鍔部の２つの電極には２本の導線の一端が半田等によりそれぞれ固着され、他方の鍔部の２つの電極には２本導線の他端が半田等によりそれぞれ固着され、電極は継線部をなしている。また、電極は回路基板の電極パターンに電気的に接続可能であり実装部をなす。
【特許文献１】特開２０００−２０８３３１号公報
【発明の開示】
【発明が解決しようとする課題】
【０００４】
実装部をなす電極を回路基板の電極パターンに電気的に接続し回路基板にコモンモードフィルタを固定して実装するためには、上述の公報記載のように半田等による接合が行なわれていたが、半田に代えて、導電性ペーストを電極と回路基板の電極パターンとの間に介在させて接合させる方法が考えられる。しかし、導電性ペーストによる接合は、半田を用いる場合と比較して接合力が弱く、接合強度不良になってしまうという問題が生じていた。
【０００５】
そこで、本発明は、回路基板の電極パターンに鍔部の電極を導電性ペーストを用いて電気的に接合し、高い接合強度を備えるコモンモードフィルタを提供することを目的とする。
【課題を解決するための手段】
【０００６】
上記目的を達成するために、本発明は、コアと導線と電極とを備えるコモンモードフィルタを提供している。該コアは、一対の鍔部と、該一対の鍔部を互いに連結する巻芯部とを備える。該導線は該コアの該巻芯部に巻回される。該電極は、該一対の鍔部にそれぞれ該導線の本数に対応した数だけ設けられる。該鍔部は互いに対向する継線面と実装面とを有し、該継線面と該実装面とを結ぶ方向は該一対の鍔部を結ぶ方向と略垂直の位置関係をなし、各該実装面は回路基板上の電極パターンに対向配置可能である。該電極は、該継線面に配置され該導線の端部が固着される継線部と、該実装面に配置される実装部と、該継線部と該実装部とを連結する連結部とをそれぞれ有し、該実装面が該電極パターンに対向配置されているときに各該実装部は該電極パターンに電気的に接続可能である。該鍔部の該実装面上であって隣接する該実装部間には、該実装面より窪んだ溝が該一対の鍔部を結ぶ方向へ沿って形成される。少なくとも該実装面の該巻芯部側の端縁部の一部は、該コアの素地が露出する露出領域をなす。
【０００７】
実装面の一部はコアの素地が露出する露出領域をなしているため、実装面において電極の実装部以外の面積を露出領域として確保することができる。このため、回路基板の電極パターンに導電性ペーストを用いて、電極の実装部のみならず露出領域までも接合させることができる。このことにより、回路基板の電極パターンに対する鍔部の高い接合強度を得ることができるコモンモードフィルタとすることができる。
【０００８】
また、実装面に露出領域を設けるときには、露出領域を溝の開口縁部に沿って溝の延出方向における一端から他端へわたり設け、それ以外の部分、即ち、溝の開口縁部以外の部分を全て電極の実装部とすることも考えられる。しかし、このようにした場合には、露出領域を広くしようとすると電極が細くなって面積が小さくなり、電極の面積を所定の値以上に確保しようとすると鍔部の実装面を広くしなければならず鍔部が大型化し、コモンモードフィルタの小型化の要求に対応できない。
【０００９】
しかし、少なくとも実装面の巻芯部側の端縁部の一部は、コアの素地が露出する露出領域をなしているため、電極を細くしたり鍔部を大型化したりせずに回路基板の電極パターンに対する鍔部の高い接合強度を得ることができ、コモンモードフィルタの小型化の要求に応えることができる。
【００１０】
ここで、該実装面において、該露出領域の面積をＲとし該電極の該実装部の面積をＳとしたときに、ＲとＳとは１／２Ｓ≦Ｒ≦１Ｓの関係を有することが好ましい。
【００１１】
実装面において、露出領域の面積をＲとし電極の実装部の面積をＳとしたときに、Ｒが１／２Ｓ未満の場合には、回路基板の電極パターンに対する鍔部の高い接合強度を得ることができず、接合強度が低下する。Ｒが１Ｓを超える場合には、電極の実装部の面積を所定の値とするために一対の鍔部を結ぶ方向における鍔部の幅を大きくしなければならなくなり、コモンモードフィルタが大型化するか、又は一対の鍔部を結ぶ方向における巻芯部の長さを短くしなければならなくなる。
【００１２】
しかし、ＲとＳとは１／２Ｓ≦Ｒ≦１Ｓの関係を有するため、回路基板の電極パターンに対する鍔部の高い接合強度を得ることができ、且つ、コモンモードフィルタが大型化することを防止でき又は一対の鍔部を結ぶ方向における巻芯部の長さを短くすることを防止することができる。
【００１３】
また、該露出領域は、該溝の開口縁部に沿って設けられていることが好ましい。溝は、鍔部の実装面上であって隣接する実装部間において一対の鍔部を結ぶ方向へ沿って形成されており、露出領域は、溝の開口縁部に沿って設けられているため、露出領域の面積を所定の値以上に確保することができる。このため、回路基板の電極パターンに対する鍔部のより高い接合強度を得ることができる。
【００１４】
また、該電極の該実装部の面は、該電極と該電極パターンとを電気的に接続するための導電性ペーストが付けられたときに酸化しない金属材料によりめっきされていることが好ましい。
【００１５】
電極の実装部の面は、電極と電極パターンとを電気的に接続するための導電性ペーストが付けられたときに酸化しない金属材料によりめっきされているため、導電性ペーストが実装部に付けられたときに実装部が酸化することを防止でき、回路基板の電極パターンに対する鍔部のより高い接合強度を得ることができる。
【００１６】
また、該電極は端子金具からなり、該電極の該実装部が配置される該実装面の部分は、該実装部に相当する該端子金具の部分の厚さ分窪んだ凹部が形成されていることが好ましい。
【００１７】
電極は端子金具からなり、電極の実装部が配置される実装面の部分は、実装部に相当する端子金具の部分の厚さ分窪んだ凹部が形成されているため、端子金具を凹部に嵌合させ、電極パターンに対向する実装面の部分の表面と、電極パターンに対向する電極の実装部の部分の表面とを面一とすることができる。このため、電極パターンに対向する露出領域の部分の表面と、電極パターンに対向する電極の実装部の部分の表面とに、一定の厚みの導電性ペーストを付けることができ、回路基板の電極パターンに対する鍔部の接合面積を最大とすることができる。この結果、回路基板の電極パターンに対する鍔部のより高い接合強度を得ることができる。
【００１８】
また、少なくとも反巻芯部側の該実装部の部分の幅と該電極の該連結部の幅とは同一であることが好ましい。少なくとも反巻芯部側の実装部の部分の幅と電極の連結部の幅とは同一であるため、電極の連結部と実装部との接続状態を最良とすることができる。また、鍔部を規定する側面と実装面とが接続されてなる鍔部の角部の位置に、電極の連結部と実装部との接続部分が位置する構成において、電極がめっきからなり、少なくとも反巻芯部側の該実装部の部分の幅と該電極の該連結部の幅とは同一である場合には、連結部の幅と実装部の幅とが異なる場合と比較して、当該接続部分における接続状態を安定にすることができる。また、電極が端子金具からなる場合には、端子金具の強度を高めることができ、また、鍔部に対して端子金具を確実に固定することができる。
【発明の効果】
【００１９】
以上により、回路基板の電極パターンに鍔部の電極を導電性ペーストを用いて電気的に接合し、高い接合強度を備えるコモンモードフィルタを提供することができる。
【発明を実施するための最良の形態】
【００２０】
本発明の実施の形態によるコモンモードフィルタについて図１乃至図３を参照しながら説明する。コモンモードフィルタは、電子機器等において電源や信号等に畳重されるコモンモードノイズ及びノーマルモードノイズを低減するために用いられ、図１に示されるように、Ａｇペーストからなる導電性ペーストによって回路基板２の電極パターン２Ａ上に実装されている。コモンモードフィルタ１は、フェライト等の磁性体またはセラミック等の非磁性体により構成されるドラムコア１０と、板状コア２０と、２本の導線３０、３０と、電極４０とを備えている。
【００２１】
ドラムコア１０は、一対の鍔部１１、１１と、一対の鍔部１１、１１を互いに連結する巻芯部１２とを有しており、巻芯部１２と一対の鍔部１１、１１とは一体的に構成されている。巻芯部１２は略四角柱形状をなしており、一対の鍔部１１、１１は同一形状の略直方体形状をなしている。２本の導線３０、３０は絶縁被覆導線であり、巻芯部１２に交互に巻回されている。
【００２２】
鍔部１１、１１は、図１に示されるようにそれぞれ略直方体形状をなしている。巻芯部１２は、略直方体形状の側面１１Ｄに接続されている。また、鍔部１１は、略直方体形状の上面に相当する継線面１１Ａ及び板状コア対向面１１Ｂと、底面に相当する実装面１１Ｃとを有し、継線面１１Ａ及び板状コア対向面１１Ｂと実装面１１Ｃとは互いに対向している。継線面１１Ａと実装面１１Ｃとを結ぶ方向は、一対の鍔部１１、１１を結ぶ方向と略垂直の位置関係をなしており、各実装面１１Ｃは回路基板２上の電極パターン２Ａに対向配置されている。
【００２３】
鍔部１１の実装面１１Ｃの一部であって、一対の鍔部１１、１１を結ぶ方向と、継線面１１Ａと実装面１１Ｃとを結ぶ方向とにそれぞれ垂直をなす方向（以下「コモンモードフィルタ左右方向」とする）における両端部には、図３に示されるように、凹部１１ａ、１１ａが形成されている。凹部１１ａ、１１ａは、実装面１１Ｃから継線面１１Ａへ向かう方向へ窪んで形成されており、実装面１１Ｃの端縁であって側面１１Ｄに対向する側面１１Ｅと接続されている端縁から、側面１１Ｄへ向かって所定の位置に至るまで延出している。
【００２４】
凹部１１ａの深さは、後述する板状の端子金具からなる電極４０の実装部４１の厚さに等しい。このため、後述のように凹部１１ａに電極４０の実装部４１が嵌合して装着されたときに、後述の露出領域１１Ｆの表面、即ち、回路基板２の電極パターン２Ａに対向し電極４０が設けられていない実装面１１Ｃの部分の表面と、回路基板２の電極パターン２Ａに対向する電極４０の実装部４１の部分の表面とを面一とすることができる。
【００２５】
このため、回路基板２の電極パターン２Ａに対向する実装面１１Ｃの部分の表面と、電極パターン２Ａに対向する電極４０の実装部４１の部分の表面とに、一定の厚みの導電性ペーストを付けることができ、回路基板２の電極パターン２Ａに対する鍔部１１、１１の接合面積を最大とすることができる。この結果、回路基板２の電極パターン２Ａに対する鍔部１１、１１のより高い接合強度を得ることができる。
【００２６】
鍔部１１、１１の継線面１１Ａは、図３に示されるように、コモンモードフィルタ左右方向における両端に位置している。換言すれば、板状コア対向面１１Ｂを中心としてその左右に継線面１１Ａ、１１Ａは一対配置されている。継線面１１Ａは、板状コア対向面１１Ｂよりも実装面１１Ｃの方向へ相対的に窪んだ凹部をなしており、後述のように電極４０の継線部４２がこの凹部に嵌合するようして載置され装着されたときに、電極４０の継線部４２が鍔部１１、１１の外形輪郭よりも外方へ突出しないように構成されている。
【００２７】
巻芯部１２と接続されている鍔部１１、１１の側面１１Ｄに対向する側面１１Ｅの一部であってコモンモードフィルタ左右方向における両端部には、図３に示されるように、凹部１１ｂ、１１ｂが形成されている。凹部１１ｂ、１１ｂは、一対の鍔部１１、１１を結ぶ方向へ窪んで形成されており、側面１１Ｅにおいて、実装面１１Ｃと接続されている端縁から継線部４２に接続されている端縁に至るまで延出している。後述のように、電極４０の連結部４３がこの凹部１１ｂ、１１ｂに嵌合し装着されたときに、電極４０の連結部４３が鍔部１１、１１の外形輪郭よりも外方へ突出しないように構成されている。
【００２８】
電極４０は、一対の鍔部１１、１１にそれぞれ２つずつ設けられている。この電極４０、４０の数は導線３０、３０の本数である２本に対応する。電極４０は、図３に示されるように、略長方形状をした板状の端子金具が折曲げられて略コの字形状となっており、略コの字形状が底面と側壁と上面とからなると考えたときの上面に相当する部分である実装部４１と、底面に相当する部分である継線部４２と、側壁に相当する部分であり実装部４１と継線部４２とを連結する連結部４３とを有している。
【００２９】
従って、図３に示されるように、コモンモードフィルタ左右方向における実装部４１の幅と連結部４３の幅とは同一となっており、実装部４１の幅が連結部４３の幅よりも細くなってはいない。このため、電極４０の連結部４３と実装部４１との接続状態を最良とすることができる。
【００３０】
更に、後述のように電極４０の実装部４１にはめっきが施されている。本実施の形態においては、ドラムコア１０の鍔部１１を規定する側面１１Ｅと実装面１１Ａとは角部をなして接続されている。この角部の位置に、電極４０の連結部４３と実装部４１との接続部分が位置している。このような構成において上述のようにめっきが施されている場合には、連結部の幅と実装部の幅とが異なる場合と比較して、当該接続部分における接続状態を安定にすることができる。また、前述のように電極４０は端子金具からなり、電極４０の強度を高めることができ、また、鍔部１１、１１に対して電極４０を確実に固定することができる。
【００３１】
電極４０には、巻芯部１２に巻回された導線３０、３０の両端側部分を接続するための継線片４２Ａが設けられている。継線片４２Ａは、図３に示されるように、継線部４２から突出して設けられており、導線３０、３０の両端の部分をそれぞれ電極４０上に載せた状態で、各継線片４２Ａが図３に示すように立った状態から、図１に示されるように折り曲げられた状態とされて、導線３０、３０の両端の部分が挟込まれることにより、導線３０、３０が継線部４２に電気的に接続され継線される。そして、例えば導線３０、３０の両端の部分及び各継線片４２Ａがレーザ照射されることにより、導線３０、３０と電極４０とが溶融し接合される。
【００３２】
電極４０は、燐青銅や４２アロイ等のＮｉ合金からなる素地に、ＮｉめっきとＡｕめっきとがこの順に施されて構成されている。Ａｕめっきは、導電性ペースト等の接着剤との相性の良さを考慮したものであり、また、Ａｕめっきに導電性ペーストが付けられたときに酸化しないため用いられている。
【００３３】
電極４０の素地として４２アロイを用いた場合には、Ａｇペーストからなる導電性ペーストとの線膨張差を抑えることができる。また、Ａｕめっきが用いられているため、実装部４１がＡｇペーストからなる導電性ペーストと接触により酸化することを防止でき、回路基板２の電極パターン２Ａに対する鍔部１１、１１のより高い接合強度を得ることができる。
【００３４】
電極４０の実装部４１は、鍔部１１、１１の実装面１１Ｃの凹部１１ａに嵌合し、連結部４３は、巻芯部１２と接続されている鍔部１１、１１の側面１１Ｄに対向する側面１１Ｅの凹部１１ｂに嵌合し、継線部４２は、鍔部１１、１１の継線面１１Ａ上に載置される。このことにより、電極４０は、一対の鍔部１１、１１のコモンモードフィルタ左右方向における両端部に、それぞれ１つずつ固着されている。
【００３５】
電極４０の鍔部１１、１１への固着は、図１、図２に示されるように、略コの字形状の電極４０によって実装面１１Ｃの位置と継線面１１Ａの位置とを挟むようにしてかしめることにより行われる。従って、電極４０は鍔部１１、１１に対して完全に移動不能に固定はされていない構造となっている。このため、電極４０と、鍔部１１、１１を電極パターン２Ａへ固着するための導電性ペーストとの線膨張係数の違いによる熱膨張・収縮差があっても、電極４０自体が凹部１１ａ、１１ｂにおいてずれ動くことで、熱膨張・収縮差の影響を吸収することができる。この結果、回路基板２にクラックを発生させる等のダメージを与えることを防止できる。
【００３６】
鍔部１１、１１の実装面１１Ｃ上であって隣接する電極４０の実装部４１間には、図２、図３に示されるように、実装面１１Ｃより窪んだ溝１１ｃが形成されている。溝１１ｃは、実装面１１Ｃにおいて開口しており、一対の鍔部１１、１１を結ぶ方向へ沿って、側面１１Ｄに接続されている実装面１１Ｃの端縁から当該側面１１Ｄに対向する側面１１Ｅに接続されている実装面１１Ｃの端縁に至るまで延出している。実装面１１Ｃにおいて、電極４０の実装部４１から溝１１ｃまでの最短距離をＡとし、コモンモードフィルタ左右方向における溝１１ｃの幅をＢとすると、ＡとＢとの間にはＡ／２≦Ｂ≦Ａの関係を有していることが好ましい。
【００３７】
実装面１１Ｃには、電極４０が設けられておらずドラムコア１０の鍔部１１、１１の素地が露出する露出領域１１Ｆが設けられている。露出領域１１Ｆは、図２、図３に示されるように、溝１１ｃの開口縁部に沿って溝１１ｃの延出方向における一端から他端にわたって設けられており、更に実装面１１Ｃの巻芯部１２側の端縁部においては、コモンモードフィルタ左右方向における鍔部１１、１１の両端へ至るまで設けられている。
【００３８】
実装面１１Ｃの一部が、ドラムコア１０の鍔部１１、１１の素地が露出する露出領域１１Ｆをなしているため、実装面１１Ｃにおいて電極４０の実装部４１以外の面積を露出領域１１Ｆとして確保することができる。このため、導電性ペーストを用いて、回路基板２の電極パターン２Ａに電極４０の実装部４１のみならず露出領域１１Ｆまでも接合させることができる。
【００３９】
電極４０の表面にはＡｕめっきが施されているので、電極４０とＡｇペーストからなる導電性ペーストとの食い付き性（接触力）はあまり強くない。しかし、ドラムコア１０の露出領域１１Ｆは凹凸のある粗面となっているため、ドラムコア１０の露出領域１１Ｆに導電性ペーストが付着されると、ドラムコア１０の露出領域１１Ｆの凹凸に導電性ペーストが入り込み、アンカー効果によってドラムコア１０と導電性ペーストとの食い付き性を強することができる。このため、回路基板２の電極パターン２Ａに対する鍔部１１、１１の高い接合強度を得ることができるコモンモードフィルタ１とすることができる。更に、鍔部１１、１１の露出領域１１Ｆの表面と電極４０の実装部４１の表面とが面一になっているため、コモンモードフィルタ１と電極パターン２Ａとを安定して接着することができる。
【００４０】
また、実装面に露出領域を設けるときには、露出領域を溝の開口縁部に沿って溝の延出方向における一端から他端へわたり設け、それ以外の部分を全て電極の実装部とすることも考えられる。しかし、この場合には、露出領域を広くしようとすると電極が細くなり面積が小さくなり、電極の面積を所定の値以上に確保しようとすると鍔部の実装面を広くしなければならず鍔部が大型化し、コモンモードフィルタの小型化の要求に対応できない。
【００４１】
しかし、少なくとも実装面１１Ｃの巻芯部１２側の端縁部の一部は、ドラムコア１０の鍔部１１、１１の素地が露出する露出領域１１Ｆをなしているため、電極４０を細くしたり鍔部１１、１１を大型化したりせずに済み、コモンモードフィルタ１の小型化の要求に応えることができる。
【００４２】
また、露出領域１１Ｆは、溝１１ｃの開口縁部に沿って設けられているため、露出領域１１Ｆの面積を所定の値以上に確保することができる。このため、回路基板２の電極パターン２Ａに対する鍔部１１、１１のより高い接合強度を得ることができる。
【００４３】
また、実装面１１Ｃにおいて、露出領域１１Ｆの面積をＲとし電極４０の実装部４１の面積をＳとしたときに、Ｒが１／２Ｓ未満の場合には、回路基板２の電極パターン２Ａに対する鍔部１１、１１の高い接合強度を得ることができず、接合強度が低下する。Ｒが１Ｓを超える場合には、一対の鍔部１１、１１を結ぶ方向における鍔部１１、１１の幅を大きくしなければならなくなり、コモンモードフィルタ１が大型化するか、又は一対の鍔部１１、１１を結ぶ方向における巻芯部１２の長さを短くしなければならなくなる。
【００４４】
しかし、前述のようにＲとＳとは１／２Ｓ≦Ｒ≦１Ｓの関係を有するため、回路基板２の電極パターン２Ａに対する鍔部１１、１１の高い接合強度を得ることができ、且つ、コモンモードフィルタ１が大型化することを防止でき又は一対の鍔部１１、１１を結ぶ方向における巻芯部１２の長さを短くすることを防止することができる。
【００４５】
コモンモードフィルタ１は、前述のように導電性ペーストによって回路基板２の電極パターン２Ａ上に実装されるが、この実装に際して導電性ペーストは、実装面１１Ｃ上の露出領域１１Ｆと電極４０の実装部４１とに付けられた状態とされて、実装面１１Ｃ上の露出領域１１Ｆと電極４０の実装部４１とは、導電性ペーストを介在して電極パターン２Ａ上に接着される。導電性ペーストは、半田による接合の温度と比べて例えば１５０℃程度といった十分に低温で、しかも、例えば３０分程度という比較的短い時間で硬化して接着が完了する。このため、回路基板２上の他の部品が高温の熱による影響を受けて破壊・損傷することを回避できる。
【００４６】
このように鍔部１１、１１の露出領域１１Ｆ及び電極４０の実装部４１にＡｇペーストからなる導電性ペーストを付着させた状態で、コモンモードフィルタ１が回路基板２に実装されると、以下のメカニズムによって鍔部１１、１１と電極パターン２Ａとの間にＡｇのデンドライドが発生することがある。
【００４７】
即ち、回路基板２にコモンモードフィルタ１が実装された状態では、周囲雰囲気中から吸着された水が鍔部１１、１１と電極パターン２Ａとの間に存在することがある。この状態で、各電極パターン２Ａに電圧が印加されると、下記のような電離が起こる。
Ａｇ→Ａｇ＋
Ｈ２Ｏ→Ｈ＋＋ＯＨ−
【００４８】
Ａｇ＋とＯＨ−は、隣り合う２つの電極パターン２Ａ、２Ａの一方（アノード）でＡｇＯＨを生成して析出される。そして、次の化学式に示されるように、ＡｇＯＨは分解されてＡｇ２Ｏとなり、このＡｇ２Ｏがコロイド状に分散される。
２ＡｇＯＨ→Ａｇ２Ｏ＋Ｈ２Ｏ
【００４９】
この後に水和反応によって、次の化学式
Ａｇ２Ｏ＋Ｈ２Ｏ→２ＡｇＯＨ→２Ａｇ＋＋２ＯＨ−
の反応が進むと、Ａｇ＋が隣り合う２つの電極パターン２Ａ、２Ａの他方（カソード）に移動する、いわゆるイオンマイグレーションが生じ、Ａｇのデンドライド状の析出が進むようになる。
【００５０】
しかし、鍔部１１、１１の実装面１１Ｃにおける電極４０間には溝１１ｃが形成されているので、隣り合う２つの電極パターン２Ａ、２Ａ間の距離が、例えば１ｍｍ以下というように短い場合であっても、Ａｇ＋のマイグレーションによるＡｇのデンドライド析出の進行が溝１１ｃによって抑制されるようになる。これにより、隣り合う２つの電極パターン２Ａ、２Ａ同士のショート、つまり隣接する電極４０同士のショートを防止することができ、コモンモードフィルタ１が実装された回路基板２を有する電子機器において、絶縁破壊等の発生を避けることができる。
【００５１】
板状コア２０は、図１〜図３に示されるように、略板状をした略長方形状をなしており、その長手方向の一端部と他端部とが、それぞれドラムコア１０の鍔部１１、１１の板状コア対向面１１Ｂ、１１Ｂに接着剤等により固着される。ドラムコア１０の上に板状コア２０が設けられていることにより、コモンモードフィルタ１は閉磁路構造となる。これにより、コモンモードフィルタ１の漏れ磁束が低減されるため、コモンモードフィルタ１のインピーダンス特性を向上させることができ、ノイズの発生を抑制することを可能とすることができる。
【００５２】
各部の寸法については以下のとおりである。コモンモードフィルタ１は、縦４．５ｍｍ×横３．２ｍｍ×高さ２．８ｍｍ程度である。また、実装面１１Ｃにおける電極４０から溝１１ｃまでの最短距離Ａは０．７ｍｍ程度であり、溝１１ｃの幅Ｂは０．４ｍｍ程度である。溝１１ｃの深さは０．３ｍｍ程度である。
【００５３】
本発明によるコモンモードフィルタは、上述した実施の形態に限定されず、特許請求の範囲に記載した範囲で種々の変形や改良が可能である。例えば、電極４０の実装部４１及び鍔部１１、１１の露出領域１１Ｆの形状は、本実施の形態における形状に限定されない。
【００５４】
例えば、図４に示されるように、鍔部１１１の実装面１１１Ｃのうちの巻芯部１１２寄りの略半分の面積を占めるようにして露出領域１１１Ｆが設けられ、実装面１１１Ｃ上の残りの部分に電極１４０の実装部１４１が配置されるようにしてもよい。更に、図５に示されるように、コモンモードフィルタ左右方向（図の上下方向）において溝１１ｃと鍔部２１１の端部との略中央の位置における実装部２４１の部分を、実装面２１１Ｃ上において巻芯部２１２側の端縁に至るまで延出させるようにしてもよい。実装面２１１Ｃにおいて実装部２４１以外の部分は露出領域２１１Ｆである。
【００５５】
更に、図６に示されるように、露出領域３１１Ｆを、溝１１ｃの開口縁部に沿って、一対の鍔部３１１を結ぶ方向（図の左右方向）へ、側面３１１Ｄに接続されている実装面３１１Ｃの端縁から当該側面３１１Ｄに対向する側面３１１Ｅに接続されている実装面３１１Ｃの端縁に至るまで延出させるようにしてもよい。実装面３１１Ｃにおいて露出領域３１１Ｆ以外の部分は、電極３４０の実装面３４１である。
【００５６】
また、図４に示される形状の変形例において、コモンモードフィルタ左右方向（図の上下方向）における露出領域１１１Ｆの両端の部分を電極１４０の実装部１４１の一部に代えて、図７に示されるように、図４に示される変形例よりも露出領域４１１Ｆの面積を小さくし、電極４４０の実装部４４１の面積を大きくしてもよい。
【００５７】
また、コモンモードフィルタ１は２本の導線３０、３０を備えていたが、この本数に限定されない。この場合電極は、一対の鍔部にそれぞれ導線の本数に対応した数だけ設けられ、１つの電極に対して導線の端部が１つずつ接合されればよい。
【００５８】
また、コモンモードフィルタ左右方向において、実装部４１の幅と連結部４３の幅とは同一となっていたが、少なくとも反巻芯部側の実装部の部分の幅と電極の連結部の幅とが同一であればよく、巻芯部側の実装部の部分は連結部の幅よりも細くなっていてもよい。
【００５９】
また、電極４０のめっきは、ＮｉめっきとＡｕめっきとをこの順に施して構成されていたが、表層部のめっきはＡｕめっきに限定されない。電極と電極パターンとを電気的に接続するための導電性ペーストが付けられたときに酸化しない金属材料によりめっきされていればよく、Ａｕめっきに代えて、例えば銀めっきや銀パラジウムめっきが用いられてもよい。
【００６０】
また、実装面１１Ｃの露出領域１１Ｆは、溝１１ｃの開口縁部に沿って溝１１ｃの延出方向における一端から他端にわたり設けられており、更に、実装面１１Ｃの巻芯部１２側の端縁部において、コモンモードフィルタ左右方向における鍔部１１、１１の両端へ至るまで設けられていたが、少なくとも実装面の巻芯部１２側の端縁部の一部が、ドラムコアの鍔部の素地が露出する露出領域をなしていればよい。従って露出領域は、溝１１ｃの開口縁部に沿って溝１１ｃの延出方向における一端から他端に渡り設けられていなくてもよい。また、各部の寸法は上述の実施の形態の値に限定されない。
【産業上の利用可能性】
【００６１】
本発明のコモンモードフィルタは、回路基板に対するコモンモードフィルタの高い接合強度が要求される分野において特に有用である。
【図面の簡単な説明】
【００６２】
【図１】本発明の実施の形態によるコモンモードフィルタが回路基板上に実装された状態を示す上方斜視図。
【図２】本発明の実施の形態によるコモンモードフィルタを示す下方斜視図。
【図３】本発明の実施の形態によるコモンモードフィルタを示す下方分解斜視図。
【図４】本発明の実施の形態によるコモンモードフィルタの変形例の鍔部を示す要部底面図。
【図５】本発明の実施の形態によるコモンモードフィルタの変形例の鍔部を示す要部底面図。
【図６】本発明の実施の形態によるコモンモードフィルタの変形例の鍔部を示す要部底面図。
【図７】本発明の実施の形態によるコモンモードフィルタの変形例の鍔部を示す要部底面図。
【符号の説明】
【００６３】
１      コモンモードフィルタ
２      回路基板
２Ａ    電極パターン部
１０    ドラムコア
１１、１１        鍔部
１１Ａ  継線面
１１Ｃ  実装面
１１Ｆ  露出領域
１１ａ  凹部
１１ｃ  溝
１２    巻芯部
３０、３０        導線
４０    電極
４１    実装部
４２    継線部
４３    連結部
【図１】
2007059752.tif 000003
【図２】
2007059752.tif 000004
【図３】
2007059752.tif 000005
【図４】
2007059752.tif 000006
【図５】
2007059752.tif 000007
【図６】
2007059752.tif 000008
【図７】
2007059752.tif 000009